(57)【特許請求の範囲】
【請求項１】
上枠、下枠および左右の縦枠を枠組みして構成される窓枠と、
前記窓枠内に配置される室内側面材および室外側面材とを備え、
前記室内側面材および前記室外側面材の少なくとも一方は前記上枠および前記下枠に沿って移動可能に設けられた建具であって、
前記下枠は、
室外側壁部、室内側壁部および底面部を備えて構成されて水溜空間を区画する水溜形成部と、
前記下枠の室外側空間に連通する開口を有する中空部とを備え、
前記水溜形成部には、前記水溜空間および前記中空部を連通する排水口が形成され、
前記排水口には、排水装置が取り付けられ、
前記排水装置は、
排水通路と、
前記水溜空間内の水を前記排水通路に排水する第１排水弁と、
前記排水通路内の水を前記下枠の室外側空間に排水する第２排水弁とを備え、
前記第１排水弁は、前記排水通路を閉鎖する閉鎖位置から前記水溜空間側に回動して前記排水通路を開く第１弁体を備え、
前記第２排水弁は、前記排水通路を閉鎖する閉鎖位置から前記下枠の室外側に回動して前記排水通路を開く第２弁体を備える
ことを特徴とする建具。
【請求項２】
請求項１に記載の建具において、
前記第１弁体は、前記水溜空間内に配置され、前記水溜空間に水が溜まった場合に生じる浮力によって浮くことで前記排水通路を開く
ことを特徴とする建具。
【請求項３】
請求項２に記載の建具において、
前記第１弁体は、水よりも比重が小さい材料で構成されている
ことを特徴とする建具。
【請求項４】
請求項２に記載の建具において、
前記第１弁体は、前記第１弁体を浮かすことが可能な体積を有する空気溜まり部を備える
ことを特徴とする建具。
【発明の詳細な説明】
【技術分野】
【０００１】
本発明は、片引き窓や引違い窓などのスライドする障子を備える建具に関する。
【背景技術】
【０００２】
従来、上枠、下枠および左右の縦枠を枠組みした枠体と、この枠体内に組み込まれた室内側の内障子および室外側の外障子とを備えた引違いサッシが知られている（特許文献１参照）。
下枠には、上方に突設した外レールおよび内レールが設けられており、これらのレールは内外の障子を左右方向に移動可能に案内支持している。下枠には、外レールおよび内レール間に浸入した水を下枠の内部（中空部）に排水する排水弁を有する室内側排水装置（室内側排水弁）と、下枠の内部から室外側に排水する排水弁を有する室外側排水装置（室外側排水弁）とが設けられている。
【先行技術文献】
【特許文献】
【０００３】
【特許文献１】特許第３４０４３０８号公報
【発明の概要】
【発明が解決しようとする課題】
【０００４】
ところで、特許文献１に記載の引違いサッシでは、室内側排水装置および室外側排水装置の各排水弁は、それぞれ自重で垂下された状態で開口を塞ぎ、排水時には室外側に開くように構成されている。
このため、引違いサッシに対して、室外側から風が吹き付けて正圧が加わった場合には、各排水弁は前記正圧によって開口を塞ぐため、外気等の侵入を防止できる。
一方で、引違いサッシに負圧が加わった場合には、各排水弁は室外側に開いてしまい、引違いサッシの室内側から排水弁を介して室外側に気流が生じ、引違いサッシの気密性が低下するおそれがある。
このような課題は、引違いサッシに限定されず、固定窓と可動障子とを備える片引き窓や両引き窓などの建具においても共通するものである。
【０００５】
本発明の目的は、建具の排水弁に正圧および負圧のいずれの風圧力が加わった場合でも気密性を維持できる建具を提供することにある。
【課題を解決するための手段】
【０００６】
本発明の建具は、上枠、下枠および左右の縦枠を枠組みして構成される窓枠と、前記窓枠内に配置される室内側面材および室外側面材とを備え、前記室内側面材および前記室外側面材の少なくとも一方は前記上枠および前記下枠に沿って移動可能に設けられた建具であって、前記下枠は、室外側壁部、室内側壁部および底面部を備えて構成されて水溜空間を区画する水溜形成部と、前記下枠の室外側空間に連通する開口を有する中空部とを備え、前記水溜形成部には、前記水溜空間および前記中空部を連通する排水口が形成され、前記排水口には、排水装置が取り付けられ、前記排水装置は、排水通路と、前記水溜空間内の水を前記排水通路に排水する第１排水弁と、前記排水通路内の水を前記下枠の室外側空間に排水する第２排水弁とを備え、前記第１排水弁は、前記排水通路を閉鎖する閉鎖位置から前記水溜空間側に回動して前記排水通路を開く第１弁体を備え、前記第２排水弁は、前記排水通路を閉鎖する閉鎖位置から前記下枠の室外側に回動して前記排水通路を開く第２弁体を備えることを特徴とする。
【０００７】
本発明の建具によれば、水溜空間は、第１排水弁、排水通路、第２排水弁を介して室外側空間に連通されている。ここで、第１排水弁の第１弁体は、排水通路を閉鎖する閉鎖位置から水溜空間側に回動して排水通路を開くため、第１排水弁に正圧が加わった際に開き、負圧が加わった際に閉じる弁である。第２排水弁の第２弁体は、第１弁体とは逆に、排水通路を閉鎖する閉鎖位置から室外側に回動して排水通路を開くため、第２排水弁に正圧が加わった際に閉じ、負圧が加わった際に開く弁である。
このため、建具に正圧が加わった場合は第２排水弁が閉じ、負圧が加わって第２排水弁が開いても第１排水弁が閉じるため、建具に正圧および負圧のいずれの風圧力が加わった場合でも、一方の排水弁を必ず閉じることができる。したがって、建具の室内空間および室外空間の間で気流が生じることを防止でき、気密性を維持することができる。
また、本発明の建具によれば、排水装置に第１排水弁および第２排水弁が組み込まれているため、第１排水弁および第２排水弁を別々の装置で構成する場合に比べて、部品数を少なくできてコストも低減できる。
【０００８】
本発明の建具において、前記第１弁体は、前記水溜空間内に配置され、前記水溜空間に水が溜まった場合に生じる浮力によって浮くことで前記排水通路を開くことが好ましい。
本発明の建具によれば、水溜空間内に水が溜まると、前記第１排水弁の第１弁体が浮力で浮いて第１排水弁が開くため、水溜空間内の水を第１排水弁から排水通路に排水することができる。そして、第２排水弁は、室外側に開く弁であるため、排水通路に排水された水の水圧によって容易に開き、排水通路内の水は第２排水弁を介して室外側空間に排出できる。
【００１１】
本発明の建具において、前記第１弁体は、水よりも比重が小さい材料で構成されていることが好ましい。
第１弁体を、ポリプロピレンなどの水よりも比重が小さい材料で構成すれば、水溜空間内に配置された第１弁体を浮かして第１排水弁を確実に開くことができる。また、第１弁体に空気溜まり部を設ける必要が無いため、第１弁体の形状などの自由度を高めることができ、製造コストも低減できる。
【００１２】
本発明の建具において、前記第１弁体は、前記第１弁体を浮かすことが可能な体積を有する空気溜まり部を備えることが好ましい。
第１弁体に空気溜まり部を設け、この空気溜まり部の体積を、前記水溜空間に水が溜まった場合に前記第１弁体を浮かすことが可能な体積に設定しているので、水溜空間内に配置された第１弁体を浮かして第１排水弁を確実に開くことができる。また、空気溜まり部を有する第１弁体の材料は、水よりも比重が小さい材料に限定されないため、材料の選択肢を増やすことができ、耐候性等の建具として求める性能に応じた材料を選択できる。
【発明の効果】
【００１３】
本発明によれば、建具の排水弁に正圧および負圧のいずれの風圧力が加わった場合でも気密性を維持できる建具を提供できる。
【図面の簡単な説明】
【００１４】
【図１】本発明の第１実施形態に係る片引き窓を示す外観姿図。
【図２】第１実施形態に係る片引き窓を示す縦断面図。
【図３】第１実施形態に係る片引き窓を示す横断面図。
【図４】第１実施形態に係る片引き窓の下枠を拡大して示す縦断面図。
【図５】第１実施形態に係る片引き窓の排水装置の取付構造を示す斜視図。
【図６】第１実施形態に係る排水装置を示す斜視図。
【図７】第１実施形態に係る排水装置を示す斜視図。
【図８】第１実施形態に係る片引き窓の下枠を拡大して示す縦断面図。
【図９】第１実施形態に係る片引き窓の下枠を拡大して示す縦断面図。
【図１０】本発明の第２実施形態に係る片引き窓の下枠を拡大して示す縦断面図。
【図１１】第２実施形態に係る片引き窓の下枠を拡大して示す縦断面図。
【図１２】第２実施形態に係る片引き窓の下枠を拡大して示す縦断面図。
【発明を実施するための形態】
【００１５】
［第１実施形態の構成］
以下、本発明の第１実施形態を図１〜９に基づいて説明する。
図１〜３において、第１実施形態に係る建具である片引き窓１は、建物躯体の開口部に設置されるものである。片引き窓１は、窓枠２と、図１に示す窓枠２の右半分側に構成される固定窓３と、窓枠２内に左右方向に移動可能に配置された障子４（内障子）とを備えている。
【００１６】
［窓枠］
窓枠２は、上枠２１、下枠２２および左右の縦枠２３，２４を枠組みし、かつ縦枠２３，２４間に中骨２５（縦骨）を設けて構成されている。上枠２１、下枠２２、左右の縦枠２３，２４および中骨２５は、樹脂製の押出形材によって形成された樹脂枠材である。上枠２１、下枠２２および左右の縦枠２３，２４は、それぞれ互いに同一断面形状に形成されている。図１において左側に示す縦枠２３は、障子４に対して戸先側に位置している。図１において右側に示す縦枠２４は、障子４に対して戸尻側に位置している。
【００１７】
［固定窓］
固定窓３は、上枠２１、下枠２２、縦枠２４および中骨２５によって構成される固定枠２０と、この固定枠２０内に配置される複層ガラス等からなる面材３１とを備えている。固定枠２０には、気密材１１と押縁１２とが装着されている。気密材１１は面材３１の外周部の室外面に当接し、押縁１２は面材３１の外周部の室内面に当接している。従って、面材３１は、気密材１１および押縁１２で挟持されている。
【００１８】
［障子］
障子４は、上框４１、下框４２、左右の縦框４３，４４および複層ガラス等からなる面材４５を框組みして構成されている。上框４１、下框４２および左右の縦框４３，４４は、樹脂製の押出形材によって形成された樹脂框材である。図３において右側に示す縦框４３は戸先側の縦框であり、図３において左側に示す縦框４４は召合せ側の縦框である。
上框４１、下框４２、左右の縦框４３，４４には、気密材４７と押縁４８とが装着されている。気密材４７は面材４５の外周部の室外面に当接し、押縁４８は面材４５の外周部の室内面に当接している。従って、面材４５は、気密材４７および押縁４８で挟持されている。また、下框４２には戸車４６が設置されている。
【００１９】
［室内側面材および室外側面材］
なお、本実施形態では、固定窓３の面材３１によって、窓枠２の一部である固定枠２０内に配置された室外側面材が構成され、障子４によって室内側面材が構成されている。すなわち、室外側面材および室内側面材は、窓枠内に組み込まれる面材部分であり、窓枠内に可動障子あるいは固定障子が組み込まれている場合には、これらの障子が室外側面材や室内側面材となる。また、本実施形態の固定窓３のように、窓枠２内に面材３１が直接固定されている場合は、その面材が室外側面材や室内側面材となる。
【００２０】
［下枠］
下枠２２は、図４に示すように、枠本体部２６と、面材３１を保持する保持部２７と、障子４を左右方向に案内するレール部２８（レール）とを有している。
［枠本体部］
枠本体部２６は、第一室外見付け片部２６１と、外側見込み片部２６２と、内側見込み片部２６３と、室内見付け片部２６４とを有している。第一室外見付け片部２６１には、外側見込み片部２６２が連続している。外側見込み片部２６２よりも窓枠２の内側（上面側）には、内側見込み片部２６３が配置されている。すなわち、外側見込み片部２６２は、内側見込み片部２６３よりも窓枠２の外側（外周側）に配置され、内側見込み片部２６３は外側見込み片部２６２よりも窓枠２の内側（内周側）に配置されている。したがって、下枠２２では、外側見込み片部２６２は下面側に配置され、内側見込み片部２６３は上面側に配置される。
外側見込み片部２６２および内側見込み片部２６３には、室内見付け片部２６４が連続している。
【００２１】
外側見込み片部２６２と内側見込み片部２６３との間には、第１仕切り片部２６５および第２仕切り片部２６６が設けられている。これらの仕切り片部２６５，２６６によって外側見込み片部２６２および内側見込み片部２６３間の空間が仕切られることで、３つの中空部２６７，２６８，２６９が形成されている。
中空部２６７は、第１仕切り片部２６５および室内見付け片部２６４間に形成されている。中空部２６８は、中空部２６７の室外側に形成され、中空部２６９は、中空部２６８の室外側に形成されている。なお、中空部２６８には、金属製の補強材をねじ止めしてもよい。
レール部２８は、内側見込み片部２６３から下枠２２の見付け方向（上方）に突設されている。レール部２８は、内側見込み片部２６３から上方に突出された室内側突出片２８１および室外側突出片２８２と、室内側突出片２８１および室外側突出片２８２を連結する上面連結部２８３とを備えている。上面連結部２８３の上面には、金属製のレール部材２８４が取り付けられ、このレール部材２８４上を戸車４６が移動するように構成されている。室内側突出片２８１は、第１仕切り片部２６５の上方に位置しており、レール部２８に加わる障子４の荷重を、室内側突出片２８１から第１仕切り片部２６５に伝えて支持できるように構成されている。
【００２２】
［保持部］
保持部２７は、下片部２７１と、第二室外見付け片部２７２と、見込み片部２７３と、レール対向片部２７４とを有している。
下片部２７１は、第一室外見付け片部２６１の上端に連続しており、当該第一室外見付け片部２６１から室外側に向かって斜め上向きに突き出ている。第二室外見付け片部２７２は、下片部２７１の室外端に連続しており、その先端部分には気密材１１が装着されている。第二室外見付け片部２７２は、第一室外見付け片部２６１よりも室外側に位置している。見込み片部２７３は、第二室外見付け片部２７２に連続している。レール対向片部２７４は、見込み片部２７３および内側見込み片部２６３に連続しており、レール部２８に対して間隔を隔てて対向して配置されている。
見込み片部２７３には、上方に向かって突出する溝形成部２７３Ａが形成され、この溝形成部２７３Ａとレール対向片部２７４との間に形成された係合溝に押縁１２が係合している。
面材３１は、下枠２２の見込み片部２７３上に載置されたセッティングブロック３６上に載置されている。
【００２３】
保持部２７には、下片部２７１およびレール対向片部２７４のそれぞれの下端に連続する略水平方向に沿って設けられた仕切り片部２７５と、下片部２７１および見込み片部２７３に連続する略垂直方向に沿って設けられた仕切り片部２７６とが設けられている。
下片部２７１、第二室外見付け片部２７２、見込み片部２７３および仕切り片部２７６によって中空部２７７が形成されている。見込み片部２７３、レール対向片部２７４および仕切り片部２７５，２７６によって中空部２７８が形成されている。
また、前記中空部２６９は、第一室外見付け片部２６１、外側見込み片部２６２、第２仕切り片部２６６、内側見込み片部２６３および仕切り片部２７５によって区画形成されている。
中空部２７７、２７８を仕切る仕切り片部２７６は、見込み方向の位置が面材３１の見込み寸法内に設定されている。
中空部２７７は、中空部２７８よりも室外側に位置している。中空部２６９は、中空部２７８の下方に位置している。
【００２４】
［水溜形成部］
下枠２２には、図４に示すように、レール部２８の室外側突出片２８２、内側見込み片部２６３およびレール対向片部２７４によって水溜形成部２２１が形成され、この水溜形成部２２１によって水溜空間５が区画形成されている。水溜形成部２２１において、レール対向片部２７４が室外側壁部であり、室外側突出片２８２が室内側壁部であり、内側見込み片部２６３が底面部である。
また、水溜空間５の下枠２２に沿った方向の両端部は、縦枠２４と、後述する下枠風止め板７とで区画されている。
【００２５】
［排水経路］
下枠２２には、水溜空間５に溜まった雨水等を下枠２２の室外側空間に排水する排水経路５０が構成されている。なお、固定枠２０および面材３１間の空間に浸入した雨水等の水を室外側に排水する図示しない排水経路を別途設けてもよい。
排水経路５０は、下枠２２の内側見込み片部２６３（水溜空間５の底面部）に形成された排水口５１と、下枠２２の第一室外見付け片部２６１に形成された排水口５２とを備えて構成されている。排水口５１には、排水装置７０が装着されている。
排水口５１は、図３，５に示すように、下枠２２の長手方向に沿った長穴状に形成され、下枠２２の長手方向に沿って所定間隔を隔てて複数配置されている。また、排水口５２は、下枠２２の長手方向に沿って所定間隔を隔てて複数配置されている。図３に示すように、下枠２２の長手方向（窓枠２の左右方向）における排水口５１および排水口５２の位置は、一致するように設定されている。
排水口５１は水溜空間５と中空部２６９とを連通している。排水口５２は中空部２６９と室外側空間とを連通している。これにより、排水経路５０は、水溜空間５から中空部２６９を通じて室外側空間につながる経路として構成されている。
【００２６】
［排水装置］
排水装置７０は、図５に示すように、排水口５１に垂直方向から挿入されて取り付けられる。排水装置７０は、図６，７にも示すように、排水弁ケース７１と、第１弁体７７０と、第２弁体７９０とを備えている。排水弁ケース７１、第１弁体７７０、第２弁体７９０は、例えば、ＡＢＳ樹脂（アクリロニトリル、ブタジエン、スチレンの共重合体）で構成される。
【００２７】
［排水弁ケース］
排水弁ケース７１は、略矩形ボックス状に形成された挿入部７２と、挿入部７２の上端に設けられたフランジ部７３と、フランジ部７３から上方に突設された一対の支持壁部７４と、支持壁部７４間に渡って形成された連結板部７５とを備えている。一対の支持壁部７４の外側には、補強リブ７６が形成されている。
前記挿入部７２の側面７２１には、一対のフック部７２２が形成されている。フック部７２２は、挿入部７２の側面７２１から斜め上方に向かって突出されている。このため、フック部７２２は、排水口５１に排水装置７０の挿入部７２を挿入した際には、排水口５１の内周面に当接して挿入部７２の側面７２１側に撓み、排水口５１を通過すると左右に広がって、排水口５１の周囲において内側見込み片部２６３の下面に当接する。これにより、排水装置７０は、フランジ部７３が内側見込み片部２６３の上面に当接する位置に取り付けられる。したがって、排水弁ケース７１は、排水口５１に挿入部７２を押し込むだけで取り付けることができる。
前記挿入部７２の上面には第１開口７２５が形成され、挿入部７２の室外面７２４の下部には第２開口７２７が形成され、挿入部７２内には第１開口７２５および第２開口７２７をつなぐ排水通路７２９が形成されている。
【００２８】
［第１弁体］
排水弁ケース７１の支持壁部７４には、第１弁体７７０が回動可能に軸支されている。すなわち、第１弁体７７０は、第１弁体７７０の両側に突出された支軸７７１を、支持壁部７４の軸受穴７４１に挿入することで、回転可能に軸支されている。
第１弁体７７０は、端部に前記支軸７７１が形成された基端部７７２と、基端部７７２から連続して形成された空気溜まり部７７３と、空気溜まり部７７３の先端部に形成されてフランジ部７３に当接可能な当接部７７９とを備えている。
空気溜まり部７７３は、基端部７７２に連続する第１面部７７４と、第１面部７７４から連続する第２面部７７５と、第２面部７７５から連続する第３面部７７６と、第３面部７７６から連続する第４面部７７７と、空気溜まり部７７３の側面を塞ぐ一対の側面部７７８とを備えて構成されている。前記当接部７７９は第４面部７７７の端縁部分で構成されている。
ここで、空気溜まり部７７３は、第１弁体７７０が水溜空間５内で水没した際に、空気溜まり部７７３で区画される空間内部に空気を溜めることができる。そして、空気溜まり部７７３の空間の体積は、溜められた空気で第１弁体７７０を水中で浮かすことができる体積に設定されている。
第１弁体７７０の当接部７７９がフランジ部７３に当接して第１開口７２５を閉じた状態では、第１面部７７４は略水平に配置され、第３面部７７６は略垂直に配置されている。また、基端部７７２から当接部７７９を結ぶ側面部７７８の端面と、第２面部７７５とは略平行に配置されている。さらに、側面部７７８の端面と、第４面部７７７とは略直交するように配置されている。
【００２９】
［第２弁体］
排水弁ケース７１の挿入部７２の側面７２１には、第２弁体７９０が回動可能に軸支されている。すなわち、第２弁体７９０は、第２弁体７９０の両側に突出された支軸７９１を、側面７２１の軸受穴７２３に挿入することで、回転可能に軸支されている。
第２弁体７９０は、第２開口７２７の周囲の室外面７２４に当接することで第２開口７２７を閉鎖する。また、第２弁体７９０の下部側が室外面７２４から室外側に移動することで、第２開口７２７を開くことができる。
【００３０】
［第１排水弁と第２排水弁］
排水装置７０においては、第１弁体７７０と、フランジ部７３と、支持壁部７４と、連結板部７５とで、第１開口７２５を開閉する第１排水弁７７が構成される。
排水装置７０においては、第２弁体７９０と、室外面７２４とで、第２開口７２７を開閉する第２排水弁７９が構成される。
【００３１】
［上枠、縦枠］
上枠２１、左右の縦枠２３，２４は、下枠２２と同様の断面形状に形成されているので、下枠２２の各構成と適宜同符号を付す。ただし、左右の縦枠２３，２４には、排水経路５０は構成されていない。つまり、上枠２１、左右の縦枠２３，２４には、排水口５１，５２は形成されておらず、排水装置７０も取り付けられていない。
上枠２１の保持部２７は、図２に示すように面材３１の上縁部を保持している。図３に示すように、縦枠２４の保持部２７は、面材３１の左側の縦縁部を保持している。また、縦枠２３の保持部２７には、面材３１が保持されないため、カバー材１４が装着されている。
【００３２】
［中骨］
中骨２５は、図３に示すように、面材３１の縦縁部を保持する保持部２５５を有している。保持部２５５は縦枠２４の保持部２７と同様に形成されており、当該縦枠２４と同様に面材３１を保持している。
中骨２５は、障子４の閉鎖状態で縦框４４と引き合うように係合可能に構成されている。また、障子４の閉鎖状態で、中骨２５と縦框４４との隙間はタイト材２５６、４４６によって閉塞される。
【００３３】
図２，３に示すように、上框４１、下框４２および縦框４３には、上枠２１、下枠２２および縦枠２３のレール部２８の室外側面に摺動可能に当接する水密材１３が装着されている。
また、中骨２５および縦框４４が係合する召合せ部の上方および下方の位置には、上枠風止め板６および下枠風止め板７が配置されている。上枠風止め板６は、上枠２１と中骨２５および縦框４４の上面との間の空間を塞ぎ、下枠風止め板７は、下枠２２と、中骨２５および縦框４４の下面との間の空間を塞いでいる。この風止め板６、７は、中骨２５および縦框４４の上方および下方部分において室内外間に風が吹きぬけることを防止している。
したがって、片引き窓１の障子４を閉じると、片引き窓１の室外側と室内側とは、固定窓３の面材３１および障子４によって室外空間と室内空間とに区画される。このため、固定窓３の室内側に位置する水溜空間５、すなわち、下枠風止め板７と、縦枠２４との間に形成される水溜空間５は、片引き窓１の室内空間に位置する。
なお、図３に示すように、閉鎖位置にある障子４の室外側にも、下枠２２の水溜形成部２２１と、下枠風止め板７と、縦枠２３とで区画される水溜空間８が形成される。
【００３４】
［排水装置の動作］
片引き窓１における排水装置７０の動作について説明する。
排水装置７０の上部側に位置する第１弁体７７０（第１排水弁７７）は、水溜空間５内に配置されている。また、排水装置７０の下部側に位置する第２弁体７９０（第２排水弁７９）は、水溜空間５の下側に位置する中空部２６９に配置されている。中空部２６９は、排水口５２によって室外側空間に連通しているため、外気が流入し、外気と等圧の空間とされている。
【００３５】
［正圧時の動作］
片引き窓１に風が吹き付けて正圧が加わっている場合には、図４に示すように、中空部２６９内に配置される第２弁体７９０にも正圧が加わり、第２弁体７９０は室外面７２４に押し付けられて第２開口７２７を閉鎖する。第２開口７２７が第２弁体７９０で閉鎖されている場合は、第１弁体７７０には風圧力（正圧）が加わらないため、第１弁体７７０は自重によってフランジ部７３に当接して第１開口７２５を閉鎖している。
【００３６】
［負圧時の動作］
片引き窓１に負圧が加わっている場合は、図８に示すように、第２弁体７９０は室外側に回動し、第２開口７２７は開かれる。この場合、排水通路７２９を介して第１弁体７７０にも負圧が加わるが、第１弁体７７０は負圧によってフランジ部７３に当接し、第１開口７２５は第１弁体７７０で閉じられた状態を維持する。
したがって、水溜空間５に水が溜まっていない場合には、片引き窓１に正圧、負圧のいずれが加わっても、第１弁体７７０または第２弁体７９０のいずれか一方は必ず第１開口７２５または第２開口７２７を閉鎖するため、水溜空間５および中空部２６９間つまり片引き窓１の室内外空間の間で気流が生じることがなく、気密性が確保される。
【００３７】
［排水動作］
図９に示すように、中骨２５と縦框４４との召合せ部や、上枠風止め板６、下枠風止め板７で塞がれた部分から水溜空間５内に雨水が浸入し、水溜空間５内の水の高さレベルが所定高さ以上となった場合には、第１弁体７７０が水に浮いて当接部７７９がフランジ部７３から離れる方向に回動し、第１開口７２５を開く。すなわち、第１弁体７７０が第１開口７２５を閉じている場合、空気溜まり部７７３には空気が溜められている。このため、第１弁体７７０が水溜空間５の水に水没すると、空気溜まり部７７３に溜められた空気の浮力によって、第１弁体７７０は浮き上がり、支軸７７１を中心に回動する。このため、第１弁体７７０がフランジ部７３から離れ、第１開口７２５が開く。この際、第１弁体７７０の空気溜まり部７７３は、下側が開口されているので、空気溜まり部７７３の空気は保持される。なお、第１弁体７７０は、空気溜まり部７７３の開口面が水平な状態までしか回動できないように、回動を規制する突起を支持壁部７４に設けてもよい。
【００３８】
第１弁体７７０が開くと、水溜空間５内の水は、第１開口７２５から排水通路７２９に流れ、その水の圧力で第２弁体７９０を室外側に開き、中空部２６９に排出される。中空部２６９内に排出された水は、排水口５２から室外側空間に排水される。
なお、第２弁体７９０に正圧が加わっている場合であり、水溜空間５および排水通路７２９に溜まる水の水頭圧が、前記第２弁体７９０の室外側に加わる風圧力（正圧）よりも小さい場合は、第２弁体７９０は閉じた状態となり、水溜空間５および排水通路７２９内の水を中空部２６９に排出できない。この場合、水溜空間５内の水位が高くなり、第２弁体７９０に加わる水頭圧も大きくなる。
したがって、水溜空間５および排水通路７２９に溜まる水によって第２弁体７９０に加わる水頭圧が、前記第２弁体７９０の室外側に加わる風圧力（正圧）よりも大きくなると、第２弁体７９０は開くため、水溜空間５および排水通路７２９内の水を中空部２６９に排出できる。中空部２６９内に排出された水は、排水口５２を介して下枠２２の室外側空間に排出される。
【００３９】
なお、水溜空間５の高さ寸法を大きくすれば、前記第２弁体７９０に大きな正圧が加わっても第２弁体７９０を開くことができ、水溜空間５の高さ寸法を小さくすると、前記第２弁体７９０に加わる正圧が小さくないと第２弁体７９０を開くことができない。したがって、水溜空間５の高さ寸法は、第２弁体７９０を開くことができる風圧力の上限値の設定に応じて設計すれば良い。
【００４０】
第２弁体７９０が開いて水溜空間５内の水が排水されて水位が下がると、第１弁体７７０の浮力も低下し、第１弁体７７０が閉じられる。水溜空間５内には僅かな水が残る場合もあるが、第１弁体７７０の当接部７７９はフランジ部７３に当接しているだけであり、第２弁体７９０も室外面７２４に当接しているだけであるため、その当接部分の微少な隙間などから、水溜空間５の水を少しずつ排出して除去できる。
【００４１】
なお、図３に示すように、閉鎖位置にある障子４の室外側に形成された水溜空間８は、室外側に面しており、直接、雨水が吹き込むため、水溜空間５に比べても水が溜まりやすい。この水溜空間８にも、排水口５１および排水装置７０が設けられているため、水溜空間５の場合と同様に、排水できる。
また、水溜空間８の室内側には、障子４が配置されており、障子４の下框４２に設けられた水密材１３が、下枠２２のレール部２８に当接してシールしているので、水溜空間８内の水位が障子４の下框４２よりも高くなっても、水溜空間８の水がレール部２８を超えて室内側に流入することはない。
【００４２】
［第１実施形態の効果］
（１）第１実施形態では、固定窓３および障子４で区画された室内空間に位置する水溜空間５を、排水装置７０の第１排水弁７７、排水通路７２９、第２排水弁７９を介して、中空部２６９、つまり室外側空間に連通している。そして、第１排水弁７７は水溜空間５側つまり室内側に開閉する第１弁体７７０を備えて構成し、第２排水弁７９は中空部２６９側つまり室外側に開閉する第２弁体７９０を備えて構成したので、片引き窓１に正圧および負圧のいずれの圧力が加わっても、第１排水弁７７または第２排水弁７９の少なくとも一方は閉鎖状態となるため、片引き窓１の室内空間および室外空間の間で気流が生じることを防止でき、気密性を維持することができる。
（２）また、水溜空間５内に溜まった水の水位が所定レベル以上になると、第１排水弁７７の第１弁体７７０が水に浸かって浮力が生じる。そして、この浮力によって第１弁体７７０が浮くと、第１開口７２５が開かれるため、水溜空間５内の水を、第１開口７２５を介して排水通路７２９に流すことができる。
さらに、排水通路７２９および水溜空間５に溜まった水の水頭圧が、第２排水弁７９の第２弁体７９０に加わる風圧力よりも大きくなれば、第２弁体７９０が室外側に開くため、排水通路７２９から第２開口７２７を介して中空部２６９に水を排水できる。中空部２６９に排出された水は、排水口５２から下枠２２の室外側に排水できる。
したがって、それぞれ別方向に開く２つの第１弁体７７０および第２弁体７９０を設けることで、気密性を維持しつつ、水溜空間５に溜まった水を確実に排出することができる。
【００４３】
（３）第１排水弁７７および第２排水弁７９を、排水装置７０に組み込んで構成したので、第１排水弁および第２排水弁を、別々の装置で構成する場合に比べて、部品数を少なくできて製造コストも低減できる。
また、下枠２２には、排水装置７０を取り付ければよいため、第１排水弁７７および第２排水弁７９を別々に取り付ける場合に比べて、組立性を向上できる。
さらに、排水装置７０は、フック部７２２を形成したので、排水口５１に垂直方向上側から排水装置７０の挿入部７２を差し込むだけで下枠２２に取り付けることができる。このため、排水装置７０をねじ止めなどで固定する場合に比べて、取付時の作業性を向上できる。
【００４４】
（４）第１排水弁７７の第１弁体７７０に空気溜まり部７７３を形成し、この空気溜まり部７７３に溜められる空気によって、第１弁体７７０の浮力を増加して、第１弁体７７０を浮かすように構成しているので、第１弁体７７０の材料としては、水よりも比重が小さい材料に限定されない。このため、第１弁体７７０の材料の選択肢を増やすことができ、例えば、排水弁ケース７１、第２弁体７９０、第１弁体７７０をすべて耐候性に優れたＡＢＳ樹脂で製造することもできる。このため、排水装置７０に要求される性能を容易に確保できる。
【００４５】
［第２実施形態］
次に、本発明の第２実施形態を、図１０〜１２に基づいて説明する。第２実施形態の片引き窓１Ａは、２つの排水装置８０，９０を用いる点で、１つの排水装置７０を用いていた第１実施形態と異なるものである。なお、第２実施形態において、前記第１実施形態と同一または同様の構成には同一符号を付し、説明を省略または簡略する。
【００４６】
［下枠］
第２実施形態の下枠２２Ａは、前記第１実施形態の下枠２２に対し、レール対向片部２７４Ａと、仕切り片部２７５Ａと、内側見込み片部２６３Ａとの構成が相違する。下枠２２Ａのその他の構成は、下枠２２と同一である。
レール対向片部２７４Ａは、下端部の高さ位置が、第１実施形態のレール対向片部２７４よりも高い位置とされている。このため、仕切り片部２７５Ａの室内側端部は、斜め上方に折曲されてレール対向片部２７４Ａに連続している。
内側見込み片部２６３Ａは、第２仕切り片部２６６の室外側の位置から上方に折曲された垂直部分と、この垂直部分から室外方向に延長されてレール対向片部２７４Ａに連続する水平部分とを有している。このため、第１実施形態では、排水口５１は、内側見込み片部２６３の水平面部分に形成されていたが、第２実施形態の排水口５１Ａは、内側見込み片部２６３の垂直部分に形成されている。すなわち、排水口５１は、内側見込み片部２６３を垂直方向に貫通する穴であったが、排水口５１Ａは、内側見込み片部２６３Ａを水平方向に貫通する穴である。
【００４７】
［排水装置］
第１実施形態では、第１排水弁７７および第２排水弁７９を有する１つの排水装置７０を用いていたが、第２実施形態では、第１排水弁である室内側排水装置８０と、第２排水弁である室外側排水装置９０との２つの排水装置（排水弁）を用いている。
【００４８】
［室内側排水装置］
室内側排水装置８０は、前記排水口５１Ａに取り付けられる排水弁ケース８１と、排水弁ケース８１に対して開閉自在に軸支された第１弁体８２とを備える。第１弁体８２は、第１弁体７７０と同様に、空気溜まり部８２３を備え、水溜空間５つまり室内側に回動する。
排水弁ケース８１には、水溜空間５と、中空部２６９とを連通する排水通路８３が形成されている。この排水通路８３は、前記第１弁体８２が風圧（正圧）や浮力で室内側に回動することで開かれ、第１弁体８２が自重や風圧（負圧）で室外側に回動して排水弁ケース８１に当接することで閉じられる。具体的には、排水弁ケース８１の両側面には排水通路８３側に突出する段部８１１が設けられ、この段部８１１に第１弁体８２が当接することで排水通路８３が閉じられる。
【００４９】
［室外側排水装置］
室外側排水装置９０は、第一室外見付け片部２６１に形成された排水口５２に取り付けられる排水弁ケース９１と、排水弁ケース９１に対して開閉自在に軸支された第２弁体９２とを備える。第２弁体９２は、第２弁体７９０と同様に室外側に回動する。
排水弁ケース９１には、中空部２６９と、下枠２２の室外側空間とを連通する排水通路９３が形成されている。この排水通路９３は、前記第２弁体９２が風圧（負圧）や水圧で室外側に回動することで開かれ、第２弁体９２が自重や風圧（正圧）で室内側に回動して排水弁ケース９１に当接することで閉じられる。
【００５０】
［排水装置の動作］
次に、第２実施形態の室内側排水装置８０、室外側排水装置９０の動作について説明する。
［正圧時の動作］
片引き窓１Ａに風が吹き付けて正圧が加わっている場合には、図１０に示すように、下枠２２Ａの室外側に配置されている第２弁体９２にも正圧が加わり、第２弁体９２は室内側に回動して排水弁ケース９１に押し付けられて排水通路９３を閉鎖する。排水通路９３が第２弁体９２閉鎖されている場合は、中空部２６９や第１弁体８２には風圧力（正圧）が加わらないため、室内側排水装置８０の第１弁体８２は自重によって排水弁ケース８１に当接して排水通路８３を閉鎖している。
【００５１】
［負圧時の動作］
片引き窓１に負圧が加わっている場合は、図１１に示すように、第２弁体９２は室外側に回動し、排水通路９３は開かれる。この場合、排水通路９３、中空部２６９を介して第１弁体８２にも負圧が加わるが、第１弁体８２は負圧によって排水弁ケース８１に当接し、排水通路８３は第１弁体８２で閉じられた状態を維持する。
したがって、水溜空間５に水が溜まっていない場合には、片引き窓１に正圧、負圧のいずれが加わっても、第１弁体８２または第２弁体９２のいずれか一方は必ず室内側排水装置８０の排水通路８３または室外側排水装置９０の排水通路９３を閉鎖するため、水溜空間５および中空部２６９と、片引き窓１Ａの室外側空間との間で気流が生じることがなく、気密性が確保される。
【００５２】
［排水動作］
図１２に示すように、水溜空間５内の水の高さレベルが所定高さ以上となった場合、第１弁体８２は、空気溜まり部８２３に溜められた空気の浮力により、水に浮いて排水通路８３が開かれる。
第１弁体８２が開くと、水溜空間５内の水は、排水通路８３を介して中空部２６９に流れて溜められる。中空部２６９の水の圧力で第２弁体９２が室外側に開くと、中空部２６９内の水は排水通路９３から室外側空間に排出される。
なお、第２弁体９２に正圧が加わっている場合は、中空部２６９に溜まる水の水頭圧が、前記第２弁体９２の室外側に加わる風圧力（正圧）よりも小さい場合は、第２弁体９２は閉じた状態となり、中空部２６９内の水を下枠２２Ａの室外側に排出できない。この場合、中空部２６９内の水位が高くなり、第２弁体９２に加わる水頭圧も大きくなる。
したがって、中空部２６９内に溜まる水によって第２弁体９２に加わる水頭圧が、前記第２弁体９２の室外側に加わる風圧力（正圧）よりも大きくなると、第２弁体９２は開くため、中空部２６９内の水を室外側空間に排出できる。
【００５３】
なお、中空部２６９内の水位が室内側排水装置８０部分に達して、中空部２６９から水溜空間５まで水が溜まった場合には、中空部２６９から水溜空間５までの高さの水頭圧が第２弁体９２に加わることになる。したがって、水溜空間５の高さ寸法は、第２弁体９２を開くことができる正圧の上限値の設定に応じて設計すれば良い。
【００５４】
［第２実施形態の効果］
第２実施形態の片引き窓１Ａにおいても、前記第１実施形態と同様に、水溜空間５側つまり室内側に開閉する第１弁体８２を備える室内側排水装置８０と、室外側に開閉する第２弁体９２を備える室外側排水装置９０とを設けたので、片引き窓１Ａに正圧および負圧のいずれの圧力が加わっても、第１排水弁である室内側排水装置８０または第２排水弁である室外側排水装置９０の少なくとも一方は閉鎖状態となるため、片引き窓１Ａの室内空間および室外空の間で気流が生じることを防止でき、気密性を維持することができる。
また、水溜空間５内に溜まった水の水位が所定レベル以上になると、室内側排水装置８０の第１弁体８２が水に浸かって浮力が生じて浮くため、排水通路８３が開かれて、水溜空間５内の水を中空部２６９に流すことができる。
さらに、中空部２６９に溜まった水の水頭圧が、室外側排水装置９０の第２弁体９２に加わる風圧力よりも大きくなれば、第２弁体９２が室外側に開くため、中空部２６９から室外側に水を排水できる。
したがって、それぞれ別方向に開く２つの第１弁体８２および第２弁体９２を設けることで、気密性を維持しつつ、水溜空間５に溜まった水を確実に排出することができる。
【００５５】
第２弁体９２を有する室外側排水装置９０を、第一室外見付け片部２６１の排水口５２に取り付けたので、排水口５２を室外側排水装置９０で隠すことができる。このため、排水口５２が開口のまま露出する第１実施形態の片引き窓１に比べて、片引き窓１Ａの外観を向上できる。
【００５６】
［変形例］
本発明は、以上の実施形態で説明した構成のものに限定されず、本発明の目的を達成できる範囲での変形例は、本発明に含まれる。
例えば、第１実施形態では、水溜空間８の排水口５１にも排水装置７０を取り付けていたが、水溜空間８の排水口５１に連通する中空部２６９は排水口５２によって外気と等圧の空間となっているので、水溜空間８の排水口５１には排水装置７０を設けずに、水溜空間５の排水口５１のみに排水装置７０を設けてもよい。この場合、片引き窓１に取り付ける排水装置７０の数を少なくでき、組立作業性を向上でき、コストも低減できる。
なお、第２実施形態では、中空部２６９は、室外側排水装置９０で室外側空間と区画された空間であるため、水溜空間８の排水口５１には室内側排水装置８０を取り付け、水溜空間８の排水口５１に対応する排水口５２にも室外側排水装置９０を取り付ける必要がある。
【００５７】
水溜空間５内に配置される第１弁体７７０、８２としては、ポリプロピレンなどの比重が水よりも小さい材料で製造することで、水に浮くように構成してもよい。この場合、第１弁体に空気溜まり部を設ける必要が無く、第１弁体の構造を簡略化できる利点がある。
【００５８】
固定窓３は、前記実施形態の構成に限らず、例えば、障子４と同様に構成した固定障子を、上枠、下枠、左右の縦枠を枠組みした窓枠内に固定して片引き窓を構成してもよい。この場合、固定障子が室外側面材となる。
また、片引き窓としては、障子４が固定窓３の室内側に配置される内動タイプの片引き窓に限定されず、障子４が固定窓３の室外側に配置される外動タイプの片引き窓でもよい。
さらに、本発明の建具は、片引き窓に限定されず、固定窓に対して左右に移動する障子を有する両引き窓や、室内外の各障子が移動する引違い窓にも適用できる。引違い窓の場合、外障子が室外側面材となり、内障子が室内側面材となる。
すなわち、本発明の建具は、窓枠内に配置される室内側面材および室外側面材を備え、室内側面材および室外側面材の少なくとも一方は、窓枠の上枠および下枠に沿って移動可能に設けられたものであればよい。
【００５９】
前記実施形態では、上枠２１、下枠２２、左右の縦枠２３，２４および中骨２５は樹脂製枠材によって形成されているが、これに限られず、アルミ押出形材などの金属製枠材によって形成されていてもよい。
【符号の説明】
【００６０】
１、１Ａ…片引き窓（建具）、２…窓枠、３…固定窓、４…障子（室内側面材）、５、８…水溜空間、７…下枠風止め板、１１…気密材、１２…押縁、１３…水密材、２０…固定枠、２１…上枠、２２，２２Ａ…下枠、２２１…水溜形成部、２３，２４…縦枠、２５…中骨、２６…枠本体部、２６１…第一室外見付け片部、２６３、２６３Ａ…内側見込み片部、２６９…中空部、２７…保持部、２７２…第二室外見付け片部、２７３、２７３Ａ…溝形成部、２７４、２７４Ａ…レール対向片部、２８…レール部、３１…面材（室外側面材）、４１…上框、４２…下框、４３，４４…縦框、４５…面材、５０…排水経路、５１，５２，５１Ａ…排水口、７０…排水装置、７１…排水弁ケース、７７…第１排水弁、７７０…第１弁体、７９…第２排水弁、７９０…第２弁体、８０…室内側排水装置、８１…排水弁ケース、８２…第１弁体、８３…排水通路、９０…室外側排水装置、９１…排水弁ケース、９２…第２弁体、９３…排水通路。
【図１】
0006557614.tif 000002
【図２】
0006557614.tif 000003
【図３】
0006557614.tif 000004
【図４】
0006557614.tif 000005
【図５】
0006557614.tif 000006
【図６】
0006557614.tif 000007
【図７】
0006557614.tif 000008
【図８】
0006557614.tif 000009
【図９】
0006557614.tif 000010
【図１０】
0006557614.tif 000011
【図１１】
0006557614.tif 000012
【図１２】
0006557614.tif 000013